(57)【要約】【目的】従来の計量米びつを改造しないで、精米しただけの米も無洗米も同量計量できるようにする。【構成】係止部２０ａ、２０ｂとひさし状部１９とからなる無洗米対応アタッチメント１８が、前記係止部２０ａ、２０ｂが従来の計量米びつの米貯蔵室１１底部に形成される米排出口１３に係止されると、計量部Ａにひさし状部１９が形成され、ひさし状部１９下方には米が入り込まない空所Ｓを形成されて、計量部Ａには精米しただけの米と同重量の無洗米が入り込み、計量が行われる。【選択図】　図４
2004113291.tif 000002
【特許請求の範囲】
【請求項１】
底部を米排出口として開口した米貯蔵室に連結され、上部に米流入口を下部に米流出口を有する計量室と、上部に前記計量室への米の流入を遮断する第１の弁部と、下部に前記計量室からの米の流出を遮断する第２の弁部とを備え、前記計量室を区切り一定量の米を排出する計量升と、該計量升を回動する計量キーとで構成されると共に、前記計量升内の一部に米が貯留されない空所を形成するためのひさし状部と、前記米排出口に着脱自在に係止するための係止部とからなる無洗米対応アタッチメントを備えたことを特徴とする無洗米対応計量米びつ。
【発明の詳細な説明】
【０００１】
【産業上の利用分野】
本発明は、精米しただけの米を貯蔵保管し例えば１合単位で計量して取り出せるような計量米びつを、無洗米にも対応できるようにした計量米びつに関するものである。
【０００２】
【従来の技術】
従来この種の装置として、図１に示すものが知られている。図１において、１は米貯蔵部２の底部に設けられた米排出口３に取り付けられる計量装置で、一定量の米が収容される計量室４と、該計量室４内を区切り一定量の米を計量する計量升５と、該計量升５を揺動する計量キー６とを備えている。
【０００３】
前記計量室４は、上部に米の流入口４ａを開口し、下部に米の流出口４ｂを開口しており、前記計量升５は、上部に計量室４の米流入口４ａを開閉する弁部５ａを備え、下部に計量室４の米流出口４ｂを開閉する弁部５ｂを備えている。そして、計量升５は、通常時に弁部５ａが米流入口４ａを開放し、弁部５ｂが米流出口４ｂを遮断した状態になるようにバネ７によって付勢されている。
【０００４】
これによって、米貯蔵部からの米が計量室４内に収容され、計量キー６を下方に押し込むことで計量升５が付勢に抗して揺動し、弁部５ａが米流入口４ａを遮断するとともに弁部５ｂが米流出口４ｂを開放して、一定量の米を計量して排出するものである。
【０００５】
【発明が解決しようとする課題】
ところで、近年、市場に流通するようになった無洗米は、従来の精米しただけの米に比較して、米表面の糠が採られているため、米表面の滑りが良く、前記のような従来の計量装置で計量すると、計量升内に米が密に入り込み、米が多めに計量排出されることとなり、従来と同量の水で炊飯を行った場合、米が硬めに炊きあがることになってしまうので、目分量で若干水の量を増やす必要が生じていた。
【０００６】
【課題を解決するための手段】
このような課題を解決するために本発明は、底部を米排出口として開口した米貯蔵室に連結され、上部に米流入口を下部に米流出口を有する計量室と、上部に前記計量室への米の流入を遮断する第１の弁部と、下部に前記計量室からの米の流出を遮断する第２の弁部とを備え、前記計量室を区切り一定量の米を排出する計量升と、該計量升を回動する計量キーとで構成されると共に、前記計量升内の一部に米が貯留されない空所を形成するためのひさし状部と、前記米流入口に着脱自在に係止するための係止部とからなる無洗米対応アタッチメントを備えた無洗米対応計量米びつを提供することを要旨とするものである。
【０００７】
【作用】
従来の計量米びつを用い無洗米を計量する場合には、無洗米投入前に、貯蔵室上部にある米投入口から手を差し入れ、無洗米対応アタッチメントを底部の米排出口に取り付ける。すると計量升上部にはアタッチメントのひさし状部が位置することになり、ひさし状部下方には空所が形成される。計量を行うと空所の分だけ米が少なく計量され、精米しただけの米を計量した場合と同じ重量の米が計量排出される。
【０００８】
【実施例】
以下、図面を用いて本発明の一実施例について説明する。図２は本発明を採用する米びつの内部断面図であり、１０は米びつ本体で、米を貯蔵する米貯蔵室１１と、該米貯蔵室１１内の米を計量排出する計量装置１２とを内蔵している。米貯蔵室１１底部には、上方よりの斜視図である図３に示すように、異物が計量装置１２内に落下しないよう、所定形状で下方に絞り込まれた複数の孔からなる米排出口１３が形成されている。１４は米貯蔵室１１上面に着脱される米投入蓋で、米貯蔵室１１内に米を補充する際に着脱される。１５は計量装置１２を含む米びつ本体１０の前面に設けられる前面板で、計量装置１２を作動させる計量キー１６が突出している。１７は計量装置１２の下方に位置し、本体１０下部に引出自在に設けられる米受容器で、計量装置１２で計量された米を取り出すものである。
【０００９】
図４は無洗米対応アタッチメントの斜視図で、アタッチメント１８は、米排出口１３の横一列それぞれの孔に入り込み、計量装置１２内にひさしを形成するひさし状部１９と、米排出口１３に係止するための係止部２０ａ及びひさし状部１９の背面の一部に形成された係止部２０ｂとが弾力性に富む樹脂等により一体形成されたものである。
【００１０】
図５は計量装置１２付近を拡大した説明図であり、これを用いて本発明の特徴的構成を説明する。既に米排出口１３には無洗米対応アタッチメント１８が取り付けられており、無洗米が計量できる状態になっている。無洗米対応アタッチメント１８の取付方法は次の通りである。
【００１１】
無洗米対応アタッチメント１８を図示したような方向で米排出口１３上方よりひさし状部１９を米排出口１３孔に挿入する。さらに挿入し続けると、係止部２０ａが自身が持つ弾力により孔の側壁を乗り越え底部に嵌合する。また、ひさし状部１９背面に設けられた係止部２０ｂも同様にして孔底部に嵌合する。この様にして計量装置１２内上方にひさしが形成される。
【００１２】
その他、２１は計量室で、上面，底面及び前面を開放した平面視コ字状に形成され、漏斗状に形成される米貯蔵室１１の米排出口１３に嵌着固定されて上部に米流入口２１ａ，底部に米流出口２１ｂを形成するとともに、前面に該米流入口２１ａと米流出口２１ｂの間で米の流通を遮断する計量升２２が回動自在に取り付けられている。
【００１３】
計量升２２は、上部に計量室２１の米流入口２１ａを開閉するための円弧状の遮蔽板２２ａを設け、下部に計量室２１の米流出口２１ｂを開閉するための平板状の遮蔽板２２ｂが形成されている。また、計量升２２の背面には、各遮蔽板２２ａ，２２ｂ間の略中心となる位置に軸ピン２３が貫通する軸リブ２２ｃが突出形成され、計量升２２を回動自在に支持している。
【００１４】
また、計量升２２の背面には、上部遮蔽板２２ａの円弧形状と合わせて軸リブ２２ｃの水平位置まで延長した扇形の押上リブ２２ｄが形成されており、前記計量キー１６の先端が作用して計量升２２を回転させるものである。
【００１５】
計量キー１６は、前方に指を載せるよう押圧部１６ａを設け、各角が直角になる略Ｚ字状の操作アーム１６ｂを該押圧部１６ａから計量升２２に向かって延出している。操作アーム１６ｂの略中心部には計量キー１６を揺動支持する軸ピン２４が貫通される軸孔１６ｃが開口され、先端部には前記計量升２２の押上リブ２２ｄが案内される溝部１６ｄを設けられている。また、溝部１６ｄには操作アーム１６ｂの揺動時に押上リブ２２ｄを押し上げて計量升２２を回転させる支持リブ１６ｅが設けられ、押上リブ２２ｄが溝部１６ｄから外れないように上方に膨出した外れ防止リブ１６ｆが形成されている。
【００１６】
２５はバネで、前記計量升２２の軸ピン２３の周りに取り付けられ、計量升２２の遮蔽板２２ｂが計量室２１の米流出口２１ｂを遮断するように付勢するとともに、前記計量キー１６の軸ピン２４の周りに取り付けられ、計量キー１６の押圧部１６ａが水平になる状態に付勢するもので、計量升２２と計量キー１６とはこの１つのバネで常態に付勢されるものである。
【００１７】
次に、このように構成される本発明の計量装置の動作を図６及び図７に基づき説明する。無洗米の計量を行う場合には、図に示すように、まず、米貯蔵室１１内に米が入っていない状態で、米投入蓋１４を開放し、その開口より無洗米対応アタッチメント１８をひさし状部１９を下にして、米排出口１３に挿入し、係止部２０ａ、２０ｂを米排出口１３に係止させる。
【００１８】
この後、米貯蔵室１１内に米を投入し、計量室２１内に充満させる。しかし、ひさし状部１９が米流入口２１ａ上部にせり出しているため、米はひさし状部１９下方には入り込まず、空所Ｓが形成される。これにより、計量部Ａには精米しただけの米の時よりも所定量少ない量の無洗米が入っていることになるが、無洗米は精米しただけの米より滑りが良く、より密に計量部Ａ内に入り込んでいるため、計量される米の重量的には同量（ここでは１合、約１５０グラム）となる。そして、計量キー１６を完全に押し込むと、図７に示すように、上部遮蔽板２２ａが米流入口２１ａを遮断し下部遮蔽板２２ｂが米流出口２１ｂを開放して米受容器１７に一定量（ここでは１合約１５０グラム）の米が排出される。
【００１９】
また、精米しただけの米を計量する場合には、無洗米対応アタッチメント１８を摘み、係止を解除して米排出口１３から取り外しておけば、従来通りの計量ができる。
【００２０】
【発明の効果】
本発明の計量米びつは以上のように構成されるので、従来の計量米びつにワンタッチで装填するだけであるため、１つの計量米びつで、精米しただけの米と無洗米とを同量計量することができ、その切換も極簡単な操作で行えるものである。また、計量装置自体の改造の必要もなく、顧客に安価に提供できる。
【図面の簡単な説明】
【図１】従来の米びつの計量装置を示す説明図である。
【図２】従来の計量装置を備えた米びつの内部断面図である。
【図３】米排出口の斜視図である。
【図４】無洗米対応アタッチメントの斜視図である。
【図５】無洗米対応アタッチメントの装着状態を示す説明図である。
【図６】無洗米を計量する場合の説明図である。
【図７】作動状態を示す説明図である。
【符号の説明】
１１　　米貯蔵室
１３　　米排出口
１６　　計量キー
１８　　無洗米対応アタッチメント
１９　　ひさし状部
２０ａ、２０ｂ　係止部
２１　　計量室
２１ａ　米流入口
２１ｂ　米流出口
２２　　計量升
２２ａ　上部遮蔽板（第１の弁部）
２２ｂ　下部遮蔽板（第２の弁部）
Ｓ　　　空所
【図１】
2004113291.tif 000003
【図２】
2004113291.tif 000004
【図３】
2004113291.tif 000005
【図４】
2004113291.tif 000006
【図５】
2004113291.tif 000007
【図６】
2004113291.tif 000008
【図７】
2004113291.tif 000009